(57)【要約】【課題】  伸縮部材、保持部材、及び操作軸を有して形成される押込み操作部での防水性を向上することが可能な防水機器を提供する。【解決手段】  腕時計（携帯機器）11は、外装ケース（機器外装体）12、防水性の伸縮部材32、ケース12に取付けられる保持部材41、及び操作軸51を備える。ケース12は着座部29及び孔30を有する。伸縮部材32は、軸方向に伸縮可能で一端が閉じるとともに他端が開口されるとともに孔30に通される筒部33、及び筒部の他端部外周から一体に張り出して着座部29に着座されるフランジ35を有する。保持部材41は、着座部29との間にフランジ35を挟んでフランジまわりの防水を確保する押え部42、及び筒部33の開口に連通する通孔44を有する。操作軸51は通孔44を通って保持部材41の外に突出される軸端部52を有する。操作軸51を、筒部33に挿入してケース12の外から筒部33を伸張させるように押込み可能に配置したことを特徴としている。【選択図】図３
2014160004.tif 000002
【特許請求の範囲】
【請求項１】
着座部及びこの着座部を貫通した孔を有する機器外装体と、
軸方向に伸縮可能で軸方向の一端が閉じるとともに軸方向の他端が開口されていて前記孔に通される筒部、及び前記筒部の他端部外周から一体に張り出して前記着座部に前記機器外装体の外側から着座されるフランジを有する防水性の伸縮部材と、
前記機器外装体に取付けられ、前記着座部との間に前記フランジをこのフランジの厚み方向に挟んで前記フランジまわりの防水を確保する押え部、及び前記開口に連通する通孔を有する保持部材と、
この保持部材の外に前記通孔を通って突出される軸端部を有し、前記筒部に挿入されて前記機器外装体の外から前記筒部を伸張させるように押込み可能に配置された操作軸と、
を具備することを特徴とする防水機器。
【請求項２】
前記保持部材が前記機器外装体から取外し可能であることを特徴とする請求項１に記載の防水機器。
【請求項３】
前記伸縮部材が金属で一体に形成されたベローズからなり、弾性変形が可能なシールリングを前記押え部が有し、このシールリングと前記着座部とで前記フランジを挟んで前記フランジまわりを防水したことを特徴とする請求項１又は２に記載の防水機器。
【請求項４】
前記押え部が挿入されるとともに前記着座部を底とした収容凹部を前記機器外装体が有し、前記収容凹部を区画した内周壁面に前記シールリングの外周が密接されていることを特徴とする請求項３に記載の防水機器。
【請求項５】
前記伸縮部材が金属で一体に形成されたベローズからなり、弾性変形が可能なシールリングを前記着座部が有し、このシールリングと前記押え部とで前記フランジを挟んで前記フランジまわりを防水したことを特徴とする請求項１又は２に記載の防水機器。
【請求項６】
前記伸縮部材が軟質材料で一体に形成され、前記着座部と前記押え部とでこれらに接する前記フランジを挟んで前記フランジまわりを防水したことを特徴とする請求項１又は２に記載の防水機器。
【請求項７】
前記筒部の閉じられた端に前記操作軸を連結したことを特徴とする請求項１から６のうちのいずれか一項に記載の防水機器。
【請求項８】
前記通孔の孔径を狭めるストッパ部を前記保持部材が有し、前記操作軸が非押込み状態にあるときに前記機器外装体の内部側から前記ストッパ部に接する状態に係合する係合部を前記操作軸が有し、前記筒部は弾性変形が可能であるとともに、この筒部は前記操作軸が非押込み状態にあるときに更なる弾性変形を許す状態に弾性変形されていることを特徴とする請求項７に記載の防水機器。
【請求項９】
請求項１から８のうちのいずれか一項に記載の防水機器で形成された携帯時計。
【発明の詳細な説明】
【技術分野】
【０００１】
本発明は、押込み操作部を備え、この操作部の防水性を改善した防水機器及び携帯時計に関する。
【背景技術】
【０００２】
腕時計や懐中時計などの携帯時計、ストップウォッチ、携帯電話、携帯型情報端末機などの携帯機器の中には、例えば機器外装体内の接点等を動作させる操作部材例えば押しボタンを機器外装体に取付けたものがある。この機器では、押しボタンが所定ストローク押込まれることによって、所定の機能が実行される。例えば携帯時計では、文字板を照明することができ、又は時計表示をアナログ表示からデジタル表示に或いはこの逆に切換えることができ、若しくは、デジタル表示された日付や曜日を修正することができる。
【０００３】
この種の携帯機器で押しボタンの軸部は機器外装体の内外を貫通しているので、押しボタンが設置された部分（押込み操作部）の防水をする必要がある。
【０００４】
そのために、機器外装体に固定されたパイプに貫通される押しボタンの軸部外周にリング形で弾性変形が可能なシール材を嵌合し、このシール材を径方向に圧縮した状態でパイプ内面に密接させることにより、押しボタンの軸部と機器外装体との間を防水する構造が採用されている（特許文献１参照。）。
【０００５】
又、機器の筐体内のスイッチを押圧する防水用スイッチ部材を筐体に取付けるとともに、防水用スイッチ部材に押釦を組み合わせて、防水を図ることも提案されている（例えば、特許文献２参照。）。
【０００６】
詳しくは、防水用スイッチ部材は、弾性材料で形成されていて、開口を有するとともにこの開口と反対側に突出する容器部を有している。このスイッチ部材は、スイッチに対向して筐体に形成された貫通孔に容器部を挿入した状態で筐体に取付けられ、押釦はその軸で容器部の底部を押せるように軸を容器部の内側空間に挿入して配置されている。これにより、容器部の内側空間から外側への防水が容器部で図られている。更に、容器部はその外周に沿って連続形成されたループ状のリブを有している。このリブは、貫通孔の内壁から圧縮を受けて変形した状態に設けられる。それにより、貫通孔の内壁と容器部の外周面との間の防水が図られている。又、押釦が押込まれた場合、容器部の底部及び側部がスイッチ方向に伸びて、スイッチが押されるようになっている。
【先行技術文献】
【特許文献】
【０００７】
【特許文献１】特開2004−319446号公報
【特許文献２】特開2011−258334号公報
【発明の概要】
【発明が解決しようとする課題】
【０００８】
特許文献１に記載された防水の構成によれば、押しボタンが軸方向に移動される際、シール材はパイプ内面を摺動する。このため、携帯機器が水に触れる条件、例えば水中等で押しボタンの操作がなされた場合、シール材によるシール箇所が、押しボタンと共に移動されることを原因として、シール性能が不安定化する。それに伴い、押しボタンが配置された部分の防水性能が低下する虞がある。
【０００９】
又、特許文献２に記載された防水の構成においても同様に防水性についての懸念がある。つまり、押釦が押込まれると、容器部の側部がスイッチ方向に伸びることに伴い、側部の外周に形成されたリブが貫通孔の内壁を摺動する。このため、例えば水中等で押釦の押込み操作がなされた場合、押釦と共にリブが移動されることを原因として、防水のためのシール性能が不安定化する。それに伴い、押釦が配置された部分の防水性能が低下する虞がある。
【００１０】
以上のように従来技術は、押釦まわりでの防水性について改善の余地がある、という課題がある。
本発明の目的は、伸縮部材、保持部材、及び操作軸を有して形成される押込み操作部での防水性を向上することが可能な防水機器及び携帯時計を提供することにある。
【課題を解決するための手段】
【００１１】
前記課題を解決するために、本発明の防水機器は、着座部及びこの着座部を貫通した孔を有する機器外装体と、軸方向に伸縮可能で軸方向の一端が閉じるとともに軸方向の他端が開口されていて前記孔に通される筒部、及び前記筒部の他端部外周から一体に張り出して前記着座部に前記機器外装体の外側から着座されるフランジを有する防水性の伸縮部材と、前記機器外装体に取付けられ、前記着座部との間に前記フランジをこのフランジの厚み方向に挟んで前記フランジまわりの防水を確保する押え部、及び前記開口に連通する通孔を有する保持部材と、この保持部材の外に前記通孔を通って突出される軸端部を有し、前記筒部に挿入されて前記機器外装体の外から前記筒部を伸張させるように押込み可能に配置された操作軸と、を具備することを特徴としている。
【００１２】
本発明の防水機器は、腕時計や懐中時計などの携帯時計、ストップウォッチ、携帯電話、携帯型情報端末機、防水型ラジオや防水型電気かみそり等に適用でき、その機器外装体とは外装ケース等を指している。
【００１３】
本発明で、伸縮部材は、金属、又は軟質プラスチックや合成ゴム等により一体形成されたものであるが、その少なくとも筒部は弾性変形可能であることが好ましい。この場合、本発明で、伸縮部材の筒部が有する閉じられた端は、弾性変形がし難くなるように比較的肉厚に形成することが好ましい。それにより、前記端の耐久性が向上されると共に、機器外装体に収容された機器を制御するために機器外装体内に設けられたスイッチをオンーオフする操作軸の押込み力をスイッチに確実に与えることが可能となる。
【００１４】
本発明で、保持部材はその一部を機器外装体に形成された収容凹部に挿入して機器外装体に取付けることが好ましいが、前記収容凹部を省略した形態の機器外装体の外面に重なるように取付けられていてもよい。これとともに、機器外装体に保持部材を取付ける手段は、保持部材を機器外装体にねじ込んで取付けることが、固定部品を要しない点で好ましいが、これに代えてねじ等の取付け部品を用いて保持部材を機器外装体に取付けてもよい。本発明において、弾性変形が可能なシールリングを保持部材と機器外装体とで挟んで実施することは、保持部材と機器外装体との間への浸水を防止する上でより好ましいが、このシールリングは省略することも可能である。
【００１５】
本発明で、操作軸は、筒部の閉じられた端に連結されていてもいなくてもよい。なお、操作軸と筒部の閉じられた端とが連結された構成では、操作軸が機器外装体の外部に離脱することを防止する工夫を省略することが可能である。この逆に、操作軸と筒部の閉じられた端とが連結されていない構成を採用する場合は、操作軸が機器外装体の外部に離脱することを防止する工夫を追加して実施すればよい。本発明で、操作軸の押込み操作をより容易にするとともに加飾のために、機器外装体の外部に突出された操作軸の軸端部に、軸端部よりも大径な操作ヘッドを連結してもよく、或いは、こうした操作ヘッドを連結することなく実施することも可能である。本発明は、操作軸を、それが押される前の状態（非押込み状態）に戻すばね等の付勢部材を追加して実施することも可能である。
【００１６】
本発明で、操作軸が押込み操作されると、操作軸は機器外装体の内部により突出するように伸縮部材が有した筒部の閉じられた端を押し動かすので、筒部が弾性変形を伴ってフランジを起点として伸ばされる。こうした伸縮部材の挙動に基づいて、機器外装体に収容された機器を制御するスイッチ等が、筒部の閉じられた端を介して操作軸で押されるので、前記機器が有する所定の機能を発揮させることが可能である。
【００１７】
本発明の防水機器で、操作軸の軸端部が通った保持部材の通孔と伸縮部材の内部とは連通されているので、この防水機器が水中で使用される場合、保持部材及び伸縮部材の内部は水に晒される。この水の機器外装体内への浸入経路としては、伸縮部材のフランジと保持部材の押え部との間を通った後に、フランジと機器外装体の着座部との間を通り、更に機器外装体の孔を通る経路が考えられる。
【００１８】
しかし、伸縮部材のフランジが、このフランジの厚み方向に機器外装体の着座部と保持部材の押え部とで挟まれていることで、前記浸水経路径が遮断され、フランジまわりの防水が確保されている。このため、機器外装体内への浸水を防止できる。こうした防水のための構造は、伸縮部材の筒部が伸びても、元の状態に縮んでも、それに伴って動かされることがないため、防水性能が不安定化することがない。
したがって、本発明によれば、伸縮部材、保持部材、及び操作軸を有して形成される押込み操作部での防水性を向上することが可能である。
【００１９】
本発明の防水機器の好ましい形態は、前記保持部材が前記機器外装体から取外し可能であることを特徴としている。
この好ましい形態によれば、保持部材を機器外装体から取外すことで、操作軸及び伸縮部材を外すことが可能である。言い換えれば、伸縮部材、保持部材、及び操作軸を有して形成される押込み操作部を分解することが可能である。このため、万が一、伸縮部材の防水性が損なわれた場合、その交換ができる。
【００２０】
本発明の防水機器の好ましい形態は、前記伸縮部材が金属で一体に形成されたベローズからなり、弾性変形が可能なシールリングを前記押え部が有し、このシールリングと前記着座部とで前記フランジを挟んで前記フランジまわりを防水したことを特徴としている。
この好ましい形態では、押え部が有したシールリングが、弾性変形して金属ベローズ製の伸縮部材のフランジに密接された状態に保持されることで、防水機器が水中で使用される場合、保持部材及び伸縮部材の内部から機器外装体内への浸水経路を遮断して、フランジまわりの防水を確保できる。この防水のための構造は伸縮部材の筒部の伸縮に拘わらず動かされないため、防水性能が不安定化することがない。
【００２１】
本発明の防水機器の好ましい形態は、前記押え部が挿入されるとともに前記着座部を底とした収容凹部を前記機器外装体が有し、前記収容凹部を区画した内周壁面に前記シールリングの外周が密接されていることを特徴としている。
この好ましい形態では、機器外装体の収容凹部に保持部材の押え部が挿入されているので、機器外装体の外面からの保持部材の突出をより小さくすることが可能である。更に、押え部と収容凹部を区画した内周壁面との間に水が浸入した場合、この水が機器外装体内に至ることを、収容凹部を区画した内周壁面に密接されたシールリングで遮断することができる。
【００２２】
本発明の防水機器の好ましい形態は、前記伸縮部材が金属で一体に形成されたベローズからなり、弾性変形が可能なシールリングを前記着座部が有し、このシールリングと前記押え部とで前記フランジを挟んで前記フランジまわりを防水したことを特徴としている。
この好ましい形態では、着座部が有したシールリングが、弾性変形して金属ベローズ製の伸縮部材のフランジに密接された状態に保持されている。これにより、防水機器が水中で使用される場合、保持部材及び伸縮部材の内部から機器外装体内への浸水経路を遮断して、フランジまわりの防水を確保できる。この防水のための構造は伸縮部材の筒部の伸縮に拘わらず動かされないため、防水性能が不安定化することがない。
【００２３】
本発明の防水機器の好ましい形態は、前記伸縮部材が軟質材料で一体に形成され、前記着座部と前記押え部とでこれらに接する前記フランジを挟んで前記フランジまわりを防水したことを特徴としている。
この好ましい形態の防水機器が水中で使用される場合、保持部材及び伸縮部材の内部から機器外装体内への水の浸入経路として、伸縮部材のフランジと保持部材の押え部との間を通った後に、フランジと機器外装体の着座部との間を通り、更に機器外装体の孔を通る経路が考えられる。
【００２４】
しかし、伸縮部材が有した軟質なフランジが、これに接した機器外装体の着座部と保持部材の押え部とで挟まれていることで、前記浸水経路径が遮断されて、フランジまわりの防水が確保されるので、機器外装体内への浸水を防止できる。こうした防水のための構造は、伸縮部材の筒部が伸びても、元の状態に縮んでも、それに伴って動かされないため、防水性能が不安定化することがない。しかも、フランジが軟質であることで、このフランジがシールリングを兼ねるので、防水のための部品点数を削減できる。
【００２５】
本発明の防水機器の好ましい形態は、前記筒部の閉じられた端に前記操作軸を連結したことを特徴としている。
この好ましい形態では、伸縮部材と操作軸とをアセンブリできるに伴い、組立上の部品点数を削減できる。これとともに、伸縮部材から操作軸が抜け出ないように保持できる。
【００２６】
本発明の防水機器の好ましい形態は、前記通孔の孔径を狭めるストッパ部を前記保持部材が有し、前記操作軸が非押込み状態にあるときに前記機器外装体の内部側から前記ストッパ部に接する状態に係合する係合部を前記操作軸が有し、前記筒部は弾性変形が可能であるとともに、この筒部は前記操作軸が非押込み状態にあるときに更なる弾性変形を許す状態に弾性変形されていることを特徴としている。
この好ましい形態では、操作軸の押込みに伴って伸ばされた伸縮部材の筒部が、その弾性で元の状態に戻るに伴って、操作軸を押し戻す。この場合、元の状態に操作軸が戻された時点で、この操作軸が保持部材のストッパ部に接するので、それ以上動いて機器外装体の外に飛び出すことがない。しかも、このように操作軸がストッパ部で位置決めされた状態でも筒部は弾性変形しているので、この操作軸は、筒部の閉じられた端とストッパ部とで挟まれた状態にある。したがって、防水機器が持ち運ばれる場合に、操作軸がその軸方向に不用意に動くことを抑制できる。
【００２７】
前記課題を解決するために、本発明の携帯時計は、前記各発明のうちのいずれかの発明の防水機器で形成されている。
本発明によれば、前記各発明のうちのいずれかの発明の防水機器で携帯時計が形成されているので、伸縮部材、保持部材、及び操作軸を有して形成される押込み操作部での防水性を向上することが可能な携帯時計を提供できる。
【発明の効果】
【００２８】
本発明によれば、操作軸の移動に拘わらずに、伸縮部材のフランジと、これを挟んだ機器外装体の着座部と、保持材の押え部とがなす防水のための構造が動かないので、押込み操作部での防水性を向上することが可能な防水機器及び携帯時計を提供できる。
【図面の簡単な説明】
【００２９】
【図１】本発明の第１の実施の形態に係る腕時計を示す正面図である。
【図２】図１のＦ−Ｆ線に沿って示す腕時計の断面図である。
【図３】図１の腕時計が備える押込み操作部を拡大して示す断面図である。
【図４】（Ａ）は図１の腕時計の押込み操作部が有する伸縮部材を示す斜視図である。（Ｂ）は同伸縮部材を図４（Ａ）とは異なる方向から見て示す斜視図である。
【図５】本発明の第２の実施の形態に係る腕時計の押込み操作部を示す図３相当の断面図である。
【図６】本発明の第３の実施の形態に係る腕時計の押込み操作部を示す図３相当の断面図である。
【図７】本発明の第４の実施の形態に係る腕時計の押込み操作部を示す図３相当の断面図である。
【発明を実施するための形態】
【００３０】
本発明の第１の実施の形態を図１〜図４を参照して説明する。
図１及び図２中符号１１は携帯機器例えば携帯時計具体的には水中で使用可能な防水性能を有する防水型の腕時計を示している。腕時計１１は機器外装体例えば時計用の外装ケース１２を備えている。
【００３１】
図２に示すように外装ケース１２内に、表示板例えば文字板１３、内蔵機器、例えば時刻表示をする時針１４（図１参照）の動きを制御するムーブメント１５、図示しないランプ、及び電源として例えば図示しない電池等が収められている。
【００３２】
ムーブメント１５は、応動部材例えば接点部材１６を、少なくとも一個有している。これらの接点部材１６は、板ばね等で形成されていて、ムーブメント１５の外周から突出されている。接点部材１６が後述の押込み操作部３１の操作で押されることによって、ムーブメント１５等が夫々の押込み操作部３１に与えられた機能を発揮するようになっている。例えば、図１中右上の押込み操作部３１は時間計測のためのスタート・ストップの機能を担い、図１中右下の押込み操作部３１はランプの点灯・消灯をする機能を担っている。
【００３３】
図２に示すように外装ケース１２は、ステンレス鋼やチタン等の金属や合成樹脂等により環状に作られた胴２１の正面に、文字板１３を透視させるカバーガラス２２を液密に装着するとともに、胴２１の裏面に、金属や合成樹脂等から作られた裏蓋２３を液密に装着して形成されている。第１実施形態において胴２１は、例えば金属の単一部品からなるが、これに代えてろう付け等により一体化される複数の金属製胴部材で形成することも可能である。
【００３４】
なお、図２中符号２４，２５は夫々外装ケース１２の液密を保持するためのパッキンを示している。又、図２中符号２６はムーブメント１５を支持する中枠を示し、更に、図１中符号２７はムーブメント１５を操作するための竜頭を示している。
【００３５】
図２に示すように外装ケース１２は、後述する押込み操作部３１が配設される部位に、収容凹部２８と、着座部２９と、孔３０を有している。
具体的には、収容凹部２８は外装ケース１２の外部に開放して胴２１に形成されている。着座部２９は収容凹部２８の底をなしている。孔３０は着座部２９の中央部を貫通している。このため、胴２１が単体の状態で、胴２１の内外は収容凹部２８と孔３０を経由して連通される。収容凹部２８を区画した内周壁面に、雌ねじ部２８ａが収容凹部２８の胴外側への開放端に寄せて形成されている。
【００３６】
外装ケース１２の所定箇所例えばこの外装ケース１２の周側壁をなす胴２１の二箇所、具体的には竜頭２７を間に置いてこの竜頭２７の両側（図１において竜頭２７の上側と下側）に、押込み操作部３１が設けられている。これら押込み操作部３１の構成は同じであるため、ここでは文字板１３を照明するランプの点灯・消灯を担う押込み操作部３１を代表して説明する。
【００３７】
図２及び図３に示すように押込み操作部３１は、伸縮部材３２と、保持部材４１と、操作軸５１とを備えている。
詳しくは、図３及び図４（Ａ）（Ｂ）に示すように伸縮部材３２は例えば金属の一体品からなり、筒部３３及びフランジ３５を有している。第１実施形態の伸縮部材３２は例えば伸縮可能なベローズにより形成されている。これにより、伸縮部材３２の内部（筒部３３の内側）から外部へ防水性が確保されている。
【００３８】
筒部３３の軸方向の一端は端壁３３ａで閉じられており、軸方向の他端は開放されている。筒部３３の端壁３３ａ以外の部位は、蛇腹状で、かつ、その軸方向に直交する方向の断面は円形である。筒部３３の端壁３３ａ以外の部位によって、筒部３３は軸方向に弾性変形を伴って伸縮可能である。なお、金属製の伸縮部材３２を用いることは、その筒部３３の伸縮動作に対する耐久性がよい点で好ましい。図３に示すように端壁３３ａは、筒部３３の軸方向に直交していて、変形がし難いように肉厚に形成されている。端壁３３ａは連結部３３ｂを有している。連結部３３ｂは例えば筒部３３の内側に突出されたねじ部で形成されている。
【００３９】
フランジ３５は、筒部３３の軸方向他端部の外周から一体に張り出していて、筒部３３の周方向に一回り連続して環状に形成されている。フランジ３５は変形がし難いように肉厚に形成されていて、その外径は収容凹部２８及び着座部２９の直径に略等しい。
【００４０】
伸縮部材３２は、外装ケース１２の外側から内側に向けて筒部３３を外装ケース１２の孔３０に通すとともに、収容凹部２８に収容されたフランジ３５を着座部２９に着座（接触）させて外装ケース１２に組み合わされている。これにより、筒部３３の端壁３３ａが接点部材１６に近接しこれを押せるように対向している。したがって、筒部３３が伸張されるに伴って接点部材１６が押される。
【００４１】
保持部材４１は、胴２１と同材料で形成されていて、押え部４２と、通孔４４と、ストッパ部４５を有している。
【００４２】
押え部４２はフランジ３５を着座部２９との間に挟む部位である。押え部４２は、第１実施形態の場合例えば収容凹部２８に嵌入される円筒部位４２ａと、防水のためのシールリング４３とを有して形成されている。更に、円筒部位４２ａの外周に、雌ねじ部２８ａに着脱可能に螺合される雄ねじ部４２ｂが設けられている。この雄ねじ部４２ｂと雌ねじ部２８ａとは、外装ケース１２に対する保持部材４１の取付け手段を形成する。
【００４３】
シールリング４３は円筒部位４２ａの小径な先端部外周に嵌合して取付けられている。この取付け状態で、シールリング４３は円筒部位４２ａの先端面から食み出している。シールリング４３は、弾性変形が可能な材料、例えば軟質ポリプロピレンや軟質塩化ビニル等の軟質プラススチック、又はエラストマ等の軟質樹脂、或いはフッ素ゴムやシリコーンゴム等の合成ゴムで作られている。自由状態でのシールリング４３の外径は収容凹部２８の径より大きい。
【００４４】
通孔４４は保持部材４１の中央部をその厚み方向に貫通している。このため、通孔４４は押え部４２を貫通している。ストッパ部４５は通孔４４の孔径を狭めて設けられている。
【００４５】
保持部材４１は、その押え部４２を収容凹部２８に挿入すると共に、雄ねじ部４２ｂを雌ねじ部２８ａに螺合した状態で、締め付け方向に回転させることによって、胴２１に取付けられている。なお、この逆方向に保持部材を回転させることにより、外装ケース１２から保持部材４１を取外すことが可能である。なお、図３中符号４１ａは、押え部４２より大径な保持部材４１の外周部位に、周方向に沿って間隔的に形成された凹みを示しており、これらに工具（図示しない）を係合させて保持部材４１を回転させることが可能である。
【００４６】
操作軸５１は、金属や硬質合成樹脂製であり、筒部３３に挿入されると共に通孔４４を貫通して設けられている。それにより、操作軸５１の軸端部５２が通孔４４を通って保持部材４１の外部に突出されている。軸端部５２に操作ヘッド５３が連結されている。軸端部５２と操作ヘッド５３とは、螺合されているが、これ以外の連結手段で連結することが可能である。操作ヘッド５３は保持部材４１を覆っている。
【００４７】
なお、操作ヘッド５３は省略することが可能である。しかし、操作ヘッド５３を用いることは、使用者が軸端部５２を直接押込み操作する場合よりも使用者の指先との接触面積が増える。このため、操作軸５１の押込み操作性を向上できる点で好ましいとともに、腕時計１１のデザインに対する貢献（加飾）を期待できる点でも好ましい。
【００４８】
操作軸５１は端壁３３ａの連結部３３ｂに連結されている。この連結は、例えば軸端部５２とは反対側の操作軸５１の端部に形成されたねじ穴を連結部３３ｂに螺合させることでなされている。しかし、これに代えて、連結部３３ｂの外周部に、軸端部５２とは反対側の操作軸５１の端部に形成された連結穴を嵌合し、かしめ付けることで連結してもよい。この場合、連結部３３ｂの外周及び連結穴にねじ溝を加工する手間を省略できる点で好ましい。
【００４９】
操作軸５１は係合部５４を有している。係合部５４は操作軸５１の最大径部をなす部分であって、その直径は通孔４４の最大径と略等しい。この係合部５４は、操作軸５１が図３に示された非押込み状態にあるときに外装ケース１２の内部側からストッパ部４５に接する状態に係合される。操作軸５１の係合部５４以外の部位の直径は、孔３０の径及び筒部３３の内径より小さい。
【００５０】
次に、押込み操作部３１を組立てる手順を説明する。
まず、伸縮部材３２の筒部３３内に、その開放端を通して操作軸５１を挿入するとともに、この操作軸５１を回転操作して操作軸５１を筒部３３の連結部３３ｂに螺合する。
【００５１】
これにより組立てられたアセンブリとして、伸縮部材３２と操作軸５１とが供給される場合、押込み操作部３１を組立てる上での部品点数を削減できるので、組立ての容易化を図ることが可能である。これとともに、操作軸５１はこれが連結された伸縮部材３２に保持されるので、ストッパ部４５と係合部５４を省略した構成の押込み操作部３１とした場合でも、操作軸５１が不用意に抜け出ないようにできる。
【００５２】
次に、操作軸５１の筒部３３から突出されている部位を、保持部材４１の通孔４４に貫通させながら、保持部材４１を外装ケース１２にその外から取付ける。
【００５３】
つまり、保持部材４１の押え部４２を外装ケース１２の収容凹部２８に挿入する。このとき、押え部４２のシールリング４３の外周面が収容凹部２８を区画した内周壁面に接するので、シールリング４３が弾性変形を伴って縮径された状態となって、収容凹部２８への押え部４２の挿入が進行する。更に、この挿入状態で、保持部材４１をねじ込むように回転させて、外装ケース１２の雌ねじ部２８ａと保持部材４１の雄ねじ部４２ｂとを螺合させる。
【００５４】
これにより、保持部材４１が外装ケース１２に取付けられる。これとともに、押え部４２が着座部２９との間にフランジ３５を挟んで外装ケース１２に伸縮部材３２が取付けられる。この場合、シールリング４３がその厚み方向に弾性変形を伴ってフランジ３５に密接された状態で、フランジ３５が押え部４２と着座部２９とで挟まれる。
【００５５】
第１実施形態では、押え部４２が有する円筒部位４２ａの先端小径部位の端面はフランジ３５に接触せずこれらの間にギャップが形成される。それにも拘らず、前記小径先端部の端面とフランジ３５との間は押え部４２のシールリング４３によって液密にシールされる。つまり、シールリング４３と着座部２９とがフランジ３５を挟んだ形態で、フランジ３５まわりの防水が確保される。これとともに、既述のようにシールリング４３の外周面が収容凹部２８を区画した内周壁面に密接されているので、シールリング４３の外周面と前記内周壁面との間も、シールリング４３によって液密にシールできる。
【００５６】
以上の手順で押込み操作部３１が組立てられた状態を図２及び図３に示す。この組立完了状態では、伸縮部材３２が有した筒部３３の開口に保持部材４１の通孔４４が対向されて、通孔４４と筒部３３内とが連通される。
【００５７】
更に、組立てが完了した状態で、伸縮部材３２の筒部３３は、ある程度弾性変形されている。この状態での弾性力で操作軸５１は外装ケース１２の外に向けて軽く付勢された状態にある。このときの弾性変形は、操作軸５１が非押込み状態（後述する）にあるときに更なる弾性変形、つまり、筒部３３が更に伸張する方向に弾性変形することを許すことが可能な状態にある。
【００５８】
そして、既述のように筒部３３の弾性力によって操作軸５１は付勢されている。このため、操作軸５１の係合部５４が保持部材４１のストッパ部４５に係合された状態にあるとともに、操作軸５１の軸端部５２は通孔４４を通って外装ケース１２の外に突出されている。したがって、軸端部５２は外装ケース１２内に向けて押込み可能な状態にある。言い換えれば、操作軸５１が非押込み状態に保持されている。非押込み状態の操作軸５１が押込まれることにより、筒部３３を伸張させることが可能である。組立ての最後に、軸端部５２に操作ヘッド５３が螺合して取付けられる。この操作ヘッド５３は取外し可能である。
【００５９】
更に、非押込み状態においては、操作軸５１が連結された筒部３３の端壁３３ａと、係合部５４が係合されたストッパ部４５とが、操作軸５１をその軸方向に動かないように拘束している。そのため、操作軸５１が不用意に動くことによる異音の発生を抑制できるとともに、操作軸５１との擦れ合いによる筒部３３の摩耗の進行を抑制できる。
【００６０】
なお、操作軸５１の非押込み状態で、この操作軸５１を端壁３３ａに連結することなく接触させると共に、係合部５４とストッパ部４５との係合により、操作軸５１をその軸方向に動かないように拘束した構成とすることができる。この構成においても、操作軸５１が不用意に動かないようにできる。
【００６１】
又、図３中符号５６は他のシールリングを示している。他のシールリング５６は、雌ねじ部２８ａと雄ねじ部４２ｂとの螺合部、及びシールリング４３よりも外装ケース１２の外部側で、胴２１と保持部材４１との間に挟まれている。このようにシールリング４３と他のシールリング５６で二重にシールしているので、押込み操作部３１の防錆性能をより高く確保できる。
【００６２】
しかも、他のシールリング５６によって前記螺合部への浸水を原因とする螺合部の酸化及び螺合部への砂等の異物の侵入を防止できる。これに伴い、腕時計１１が長期間使用された後においても、螺合部の噛み合い外すために保持部材４１を弛み方向に回す力が増えることが防止される。このため、押込み操作部３１を分解する場合に困難を来たさないようにできる。なお、他のシールリング５６は省略して実施することも可能である。
【００６３】
以上のように組立てられた押込み操作部３１を備えた腕時計１１において、使用者の指を操作ヘッド５３に接触させて操作軸５１を押込むと、これに追従して筒部３３が弾性変形を伴って胴２１内へより突出されるように伸ばされる。その結果、操作軸５１が、筒部３３の端壁３３ａを介してこの端壁３３ａに近接し対向している接点部材１６を押す。それにより、押込み操作された押込み操作部３１に割り当てられた機能が発揮され、例えば文字板１３を照明するランプが点灯される。
【００６４】
この後、操作軸５１に対する押込み操作力が加わらなくなると、筒部３３は自己の弾性力で長さを短くするように変形する。このため、操作軸５１が胴２１の外側に向けて押し戻されて、押込み操作部３１が押し込まれる前の非押込み状態に戻される。
【００６５】
腕時計１１が水中で使用される場合、操作軸５１の軸端部５２が通った保持部材４１の通孔４４と伸縮部材３２の内部とは連通されているので、通孔４４及び伸縮部材３２の筒部３３の内部は水に晒される。しかし、伸縮部材３２は一体品であるので、伸縮部材３２が損傷していない限り、この伸縮部材３２を通って外装ケース１２内に浸水する虞がない。このため、外装ケース１２内への浸水経路としては、通孔４４から伸縮部材３２のフランジ３５と保持部材４１の押え部４２との間を通った後に、フランジ３５と外装ケース１２の着座部２９との間を通って、更に外装ケース１２の孔３０を通る経路が考えられる。
【００６６】
しかし、金属ベローズ製の伸縮部材３２のフランジ３５は、このフランジ３５の厚み方向に着座部２９と押え部４２のシールリング４３で挟まれていて、このシールリング４３は弾性変形された状態でフランジ３５に密接されている。これにより、フランジ３５と押え部４２との間で前記浸水経路が遮断され、フランジまわりの防水が確保されるので、外装ケース１２内への浸水を防止できる。
【００６７】
こうした防水のための構造は、伸縮部材３２のフランジ３５が、伸縮部材３２の伸縮に対して固定状態にある外装ケース１２の着座部２９とこれに取付けられた保持部材４１の押え部４２とで挟まれて形成されている。このため、伸縮部材３２の筒部３３が伸びても元の状態に縮んでも、それに伴って動かされることがない。したがって、押込み操作部３１での防水性能が不安定化することがない。
【００６８】
以上説明したように伸縮部材３２、保持部材４１、及び操作軸５１を有して形成される押込み操作部３１での防水性を向上することが可能である。
【００６９】
更に、押え部４２が有するシールリング４３は、弾性変形された状態で収容凹部２８を区画した内周壁面に密接されている。このため、仮に、押え部４２の外周面と収容凹部２８を区画した内周壁面との間に水が浸入した場合、この水が胴２１内に至ることを、シールリング４３で遮断できる。したがって、他のシールリング５６を省略して部品点数を減らすことが可能である。
【００７０】
以上説明したように水中で押込み操作部３１を押込み操作しても、押込み操作部３１の防水を高い信頼性を持って確保できる。このため、水中で押込み操作部３１の押込み操作を禁止するためのロック手段を構成する必要がない。加えて、防水を担う伸縮部材３２で、操作軸５１にこれを非押込み状態に戻す力を与えているので、戻すためのコイルばね等の部品を必要としない。したがって、押込み操作部３１の構成が単純で、この押込み操作部３１がコンパクトに構成されるので、外装ケース１２が薄い場合であっても、これに適合して押込み操作部３１をその防水性を確保して配設することが可能である。
【００７１】
又、押込み操作部３１の保持部材４１はその取付けと逆手順で外装ケース１２から外すことができるので、その後に、操作軸５１の軸端部５２を手掛りにして、操作軸５１及び伸縮部材３２を、外装ケース１２外に引き抜いて、押込み操作部３１を分解することが可能である。このため、万が一、伸縮部材３２の防水性が損なわれた場合、その交換ができる。
【００７２】
図５は本発明の第２の実施の形態を示している。この第２実施形態の構成は以下の説明を除いて第１実施形態と同じであるので、第１実施形態と同じ構成又は同一の機能を奏する構成については、第１実施形態と同一符号を付して説明を省略する。
【００７３】
第２実施形態の腕時計１１では、第１実施形態で説明した操作ヘッドを省略して、単一の軸からなる操作軸５１を形成し、この操作軸５１の構成を単純化している。これとともに、第１実施形態で説明した他のシールリングも省略している。その他の第２実施形態の構成は、図５に示されない構成を含めて第１実施形態の腕時計１１と同じである。
【００７４】
したがって、第２実施形態でも、第１実施形態で説明した理由により、伸縮部材３２、保持部材４１、及び操作軸５１を有して形成される押込み操作部３１での防水性を向上することが可能な腕時計１１を提供できる。
【００７５】
図６は本発明の第３の実施の形態を示している。この第３実施形態の構成は以下の説明を除いて第１実施形態と同じであるので、第１実施形態と同じ構成又は同一の機能を奏する構成については、第１実施形態と同一符号を付して説明を省略する。
【００７６】
第３実施形態の腕時計１１では、第１実施形態で説明した操作ヘッドを省略して、単一の軸からなる操作軸５１を形成し、この操作軸５１の構成を単純化している。これとともに、第１実施形態で説明した他のシールリングも省略している。
【００７７】
更に、第３実施形態の腕時計１１では、押え部４２がシールリング４３を有するのではなく、着座部２９に形成した円形の溝にシールリング４３が嵌合されている。こうして着座部２９が有したシールリング４３をフランジ３５に接触させるとともに、押え部４２が有した円筒部位４２ａの端面をフランジ３５に接触させた状態で、フランジ３５が着座部２９と押え部４２とで挟まれている。挟まれたシールリング４３は弾性変形された状態に保持されている。
【００７８】
このため、通孔４４から押え部４２とフランジ３５との間を通った水、及び雌ねじ部２８ａと雄ねじ部４２ｂとの螺合部を通過した水は、シールリング４３によって止められる。このようにフランジ回りの防水が確保されるので、胴２１内への浸水を防止できる。なお、第３実施形態において押え部４２は円筒部位のみで形成されている。その他の第３実施形態の構成は、図６に示されない構成を含めて第１実施形態の腕時計１１と同じである。
【００７９】
したがって、第３実施形態でも、第１実施形態で説明した理由により、伸縮部材３２、保持部材４１、及び操作軸５１を有して形成される押込み操作部３１での防水性を向上することが可能な腕時計１１を提供できる。
【００８０】
図７は本発明の第４の実施の形態を示している。この第４実施形態の構成は以下の説明を除いて第１実施形態と同じであるので、第１実施形態と同じ構成又は同一の機能を奏する構成については、第１実施形態と同一符号を付して説明を省略する。
【００８１】
第４実施形態の腕時計１１では、伸縮部材３２が、金属製のベローズではなく、軟質材料で一体に形成されている。この伸縮部材３２をなす材料として、弾性変形が可能な軟質材料、例えば軟質ポリプロピレンや軟質塩化ビニル等の軟質プラススチック、又はエラストマ等の軟質樹脂、或いはフッ素ゴムやシリコーンゴム等の合成ゴムを挙げることができる。このため、伸縮部材３２のフランジ３５はその厚み方向に弾性変形することが可能である。軟質材料製の伸縮部材３２は、金属製の伸縮部材と比較して海水等に対する耐食性がよい点で好ましいので、海水中で使用されることがあるダイバーズウォッチの部品として好適である。
【００８２】
これと共に、保持部材４１が有する押え部４２の先端がフランジ３５に接触する形態で、この押え部４２と外装ケース１２の着座部２９とがフランジ３５を弾性変形させた状態で挟んでいる。このため、通孔４４から押え部４２とフランジ３５との間を通ろうとする水を止めることができると共に、着座部２９とフランジ３５との間を孔３０に向けて通ろうとする水を止めることができる。このようにフランジ回りの防水が確保されるので、胴２１内への浸水を防止できる。なお、第４実施形態において押え部４２は円筒部位のみで形成されている。その他の第４実施形態の構成は、図７に示されない構成を含めて第１実施形態の腕時計１１と同じである。
【００８３】
したがって、第４実施形態でも、第１実施形態で説明した理由により、伸縮部材３２、保持部材４１、及び操作軸５１を有して形成される押込み操作部３１での防水性を向上することが可能な腕時計１１を提供できる。しかも、フランジ３５がシールパッキンを兼ねるので、押込み操作部３１を構成する部品点数を削減できて、構成を単純化できる。
【００８４】
なお、上述した実施形態においては、フランジ３５は環状であるが、これにフランジ３５の形状は限定されず、例えば、多角形状でもよい。換言すれば、フランジ３５は、着座部２９に着座可能な形状であれば、種々の形状を採ることが可能である。
【符号の説明】
【００８５】
１１…腕時計（携帯機器：携帯時計）
１２…外装ケース（機器外装体）
１５…ムーブメント(内蔵機器)
１６…接点部材（応動部材）
２１…胴
２８…収容凹部
２８ａ…雌ねじ部
２９…着座部
３０…孔
３１…押込み操作部
３２…伸縮部材
３３…筒部
３３ａ…筒部の端壁
３５…フランジ
４１…保持部材
４２…押え部
４２ｂ…雄ねじ部
４３…シールリング
４４…通孔
４５…ストッパ部
５１…保持軸
５２…保持軸の軸端部
５４…係合部
【図１】
2014160004.tif 000003
【図２】
2014160004.tif 000004
【図３】
2014160004.tif 000005
【図４】
2014160004.tif 000006
【図５】
2014160004.tif 000007
【図６】
2014160004.tif 000008
【図７】
2014160004.tif 000009